(57)【要約】      （修正有）【課題】複数の卵用包装容器を各々の側面が互いに密着するようにして配置した場合でも、空気が供給され卵の鮮度を高く維持する卵用包装容器を提供する。【解決手段】卵用包装容器１は、卵Ｅの下半分を収容する収容凹部４が形成された下側トレイ２と、卵の上半分を収容する収容凹部が形成された上側トレイ３と、を備える。下側トレイ及び上側トレイは、収容凹部から下側トレイ又は上側トレイの側面２１へと連通した通気部８と、通気部から上下方向に亘って側面に掘り込まれた鉛直溝９と、を有する。鉛直溝が通気部を介して収容凹部に連通しているので、複数の卵用包装容器を各々の側面が互いに密着して配置された場合でも、鉛直溝を介して側面からも卵用包装容器の内部に十分な空気が供給され、卵の鮮度を高く維持することができる。【選択図】図１
0003228705.tif 000002
【実用新案登録請求の範囲】
【請求項１】
卵の下半分を収容する半球状の収容凹部が複数形成された下側トレイと、卵の上半分を収容する半球状の収容凹部が複数形成され前記下側トレイと係合する上側トレイと、を備えた卵用包装容器であって、
前記下側トレイ及び上側トレイは、前記収容凹部から前記下側トレイ又は上側トレイの側面へと連通した通気部と、前記通気部から上下方向に亘って前記側面に掘り込まれた鉛直溝と、を有することを特徴とする卵用包装容器。
【請求項２】
前記下側トレイ及び上側トレイは、互いに同形状であり、
前記下側トレイと上側トレイとを互いに係合させたときに、前記下側トレイの鉛直溝と前記上側トレイの鉛直溝とが、直線状に繋がることを特徴とする請求項１に記載の卵用包装容器。
【請求項３】
前記通気部は、前記収容凹部から水平方向に伸びる第１の通気路と、前記第１の通気路の終端から上下方向に伸びる第２の通気路と、前記第２の通気路の終端から水平方向に伸び前記鉛直溝に繋がる第３の通気路と、を有することを特徴とする請求項１又は請求項２に記載の卵用包装容器。
【考案の詳細な説明】
【技術分野】
【０００１】
本考案は、卵を包装する卵用包装容器に関する。
【背景技術】
【０００２】
従来から卵を輸送する際には、卵を収容する凹部が格子状に形成された卵用包装容器が用いられている。このような卵用包装容器は、例えば、発泡樹脂により形成され、直方体状の外形を有する（例えば、特許文献１参照）。卵用包装容器に収容された卵は、卵殻にある気孔を介して呼吸に必要な酸素を外部から取り入れる。そのため、卵を鮮度の高い状態を維持したまま輸送するには、卵用包装容器の内部に十分な酸素（空気）を供給する必要がある。
【先行技術文献】
【特許文献】
【０００３】
【特許文献１】特開２０１９−０２６２９９号広報
【考案の概要】
【考案が解決しようとする課題】
【０００４】
しかしながら、上述したような卵用包装容器では、複数の卵用包装容器を各々の側面が互いに密着するようにして配置した場合には、密着した側面からは卵用包装容器の内部に空気が供給されないので、卵の鮮度が落ちてしまう虞がある。
【０００５】
本考案は、上記課題を解決するものであって、複数の卵用包装容器を各々の側面が互いに密着するようにして配置した場合であっても、密着した側面から卵用包装容器の内部に十分な空気が供給され、卵の鮮度を高く維持することができる卵用包装容器を提供することを目的とする。
【課題を解決するための手段】
【０００６】
本考案は、卵の下半分を収容する半球状の収容凹部が複数形成された下側トレイと、卵の上半分を収容する半球状の収容凹部が複数形成され前記下側トレイと係合する上側トレイと、を備えた卵用包装容器であって、前記下側トレイ及び上側トレイは、前記収容凹部から前記下側トレイ又は上側トレイの側面へと連通した通気部と、前記通気部から上下方向に亘って前記側面に掘り込まれた鉛直溝と、を有することを特徴とする。
【０００７】
前記下側トレイ及び上側トレイは、互いに同形状であり、前記下側トレイと上側トレイとを互いに係合させたときに、前記下側トレイの鉛直溝と前記上側トレイの鉛直溝とが、直線状に繋がることが好ましい。
【０００８】
前記通気部は、前記収容凹部から水平方向に伸びる第１の通気路と、前記第１の通気路の終端から上下方向に伸びる第２の通気路と、前記第２の通気路の終端から水平方向に伸び前記鉛直溝に繋がる第３の通気路と、を有することが好ましい。
【考案の効果】
【０００９】
本考案の卵用包装容器によれば、側面の上下方向に亘って形成された鉛直溝が、通気部を介して卵を収容する収容凹部に連通しているので、複数の卵用包装容器を各々の側面が互いに密着するようにして配置した場合であっても、鉛直溝を介して密着した側面からも卵用包装容器の内部に十分な空気が供給され、卵の鮮度を高く維持することができる。
【図面の簡単な説明】
【００１０】
【図１】本考案の実施形態に係る卵用包装容器を上方から見たときの分解斜視図。
【図２】上記卵用包装容器を下方から見たときの分解斜視図。
【図３】（ａ）は上記卵用包装容器を構成する下側トレイの上面図、（ｂ）は（ａ）のＡ−Ａ線断面図、（ｃ）は（ａ）のＢ方向から見たときの同下側トレイの側面図、（ｄ）は（ａ）のＣ−Ｃ線断面図、（ｅ）は（ａ）のＤ方向から見たときの同下側トレイの側面図。
【図４】（ａ）は上記卵用包装容器の上面図、（ｂ）は（ａ）のＥ−Ｅ線断面図、（ｃ）は（ａ）のＦ−Ｆ線断面図及びその一部拡大図。
【図５】（ａ）（ｂ）は、それぞれ上記卵用包装容器を上方及び下方から見たときの斜視図。
【図６】複数の上記卵用包装容器を各々の側面が互いに密着するようにして配置した状態を示す斜視図。
【考案を実施するための形態】
【００１１】
本考案の実施形態に係る卵用包装容器について図面を参照して説明する。図１及び図２に示すように、卵用包装容器１は、卵（主として鶏卵）Ｅを下側から保護する下側トレイ２と、卵Ｅを上側から保護する上側トレイ３と、を備える。下側トレイ２及び上側トレイ３は、共に発泡樹脂により構成されている。
【００１２】
下側トレイ２は、全体として矩形平板状に形成され、図例では一の辺Ｓ１が辺Ｓ１に直交する辺Ｓ２よりも長くなっている。下側トレイ２は、その上面に卵Ｅの下半分を収容する収容凹部４を複数有する（図１参照）。これら収容凹部４は、格子状に配置され、例えば、６ｘ５の格子状に配置されて合計３０個までの卵Ｅを収納できるようになっている。
【００１３】
また、下側トレイ２は、上側トレイ３との係合に用いられる係合部５を有する。係合部５は、下側トレイ２の上面周縁において、下側トレイ２の四辺Ｓ１、Ｓ２、Ｓ３、Ｓ４に沿って上方に凸設された外凸条部５１（図１において濃いドットで示す）及び内凸条部５２（図１において薄いドットで示す）を含む。外凸条部５１は、辺Ｓ１の中点Ｍから辺Ｓ１に対向する辺Ｓ３の中点Ｎまで、辺Ｓ１、Ｓ２、Ｓ３に沿って設けられた幅Ｗの壁により構成されている。内凸条部５２は、中点Ｍから中点Ｎまで、辺Ｓ１、Ｓ４、Ｓ３に沿って外凸条部５１と同じ高さの壁により構成され、下側トレイ２の側面２１から幅Ｗ＋α（αは、例えば、数ミリメートル）だけ内方に入った箇所に設けられている。
【００１４】
また、下側トレイ２は、その下面２２の四隅に、一の卵用包装容器１の上面に他の卵用包装容器１の下面が重なるようにして複数の卵用包装容器１を積み重ねたときに、卵用包装容器１同士の位置ずれを防止する位置ずれ防止部６を有する（図２参照）。各々の位置ずれ防止部６は、２つの凸設部６１と２つの凹設部６２を有する。凸設部６１は、下面２２から凸設された扁平な四角柱により構成されている。凹設部６２は、凸設部６１の高さ分だけ下面２２から掘り込み形成され、凸設部６１よりもやや大きい矩形の窪みにより構成されている。各々の位置ずれ防止部６において凸設部６１及び凹設部６２は、２ｘ２の格子を形成するようにして交互に配置されている。
【００１５】
また、下側トレイ２は、下面２２と側面２１とが成す角部が面取りされることで形成された面取り部７１と、側面２１同士が成す角部が面取りされることで形成された面取り部７２と、を有する。このような面取り部７１、７２を設けることで、外部との接触等によって角部に生じた傷が元になって下側トレイ２が割れてしまうのを防止することができる他、下側トレイ２を発泡成型する際に金型から下側トレイ２を取り出し易くなる。
【００１６】
また、下側トレイ２は、収容凹部４から側面２１へと連通させるための複数の通気部８と、各々の通気部８と連続するようにして通気部８から上下方向に亘って側面２１に掘り込まれた複数の鉛直溝９と、を有する（図１参照）。複数の通気部８は、外凸条部５１又は内凸条部５２の上端から、例えば、数ミリメートルほど下方に掘り込まれた溝により構成され、互いに所定の間隔を隔てて配置されている。鉛直溝９は、深さ数ミリメートル程度とされ、側面２１の上端から面取り部７１に達するまで形成されている。
【００１７】
図３（ａ）−（ｅ）に示すように、鉛直溝９は、辺Ｓ１の中点Ｍと辺Ｓ３の中点Ｎを通る鉛直面Ｐを基準として対称に設けられている。各々の収容凹部４は、半球面状に形成され開口が上方を向くように配置された湾曲部４１と、湾曲部４１の底部に設けられた凹部４２と、を有する（図３（ｂ）参照）。凹部４２は、卵の気室側の端部又はその反対側の鋭端部を収納し、湾曲部４１は、卵の曲面に沿うような曲率で形成されている。
【００１８】
上側トレイ３は、上述した下側トレイ２と同形状で、下側トレイ２を上下反転させたものにより構成されている。すなわち、卵用包装容器１は、下側トレイ２と上下反転させた下側トレイ２（＝上側トレイ３）とにより、卵を上下方向から挟んで包装するものである。
【００１９】
図４（ａ）−（ｃ）は、下側トレイ２及び上側トレイ３を、各々の外凸条部５１の内側に内凸条部５２が嵌まり込むようにして係合させた状態を示す。このとき、図４（ｂ）に示すように、通気部８が設けられていない箇所（図４（ａ）のＥ−Ｅ断面）では、上下方向において係合部５で下側トレイ２と上側トレイ３との間に隙間は形成されない。一方、図４（ｃ）に示すように、通気部８が設けられている箇所（図４（ａ）のＦ−Ｆ断面）では、通気部８が外凸条部５１又は内凸条部５２に掘り込み形成された溝により構成されている分だけ、上下方向において係合部５で下側トレイ２と上側トレイ３との間に数ミリメートル程度の隙間Ｇが形成される（図４（ｃ）の拡大図参照）。また、外凸条部５１が幅Ｗを有し、内凸条部５２が側面２１から幅Ｗ＋αだけ内方に入った箇所に設けられているので、左右（水平）方向において外凸条部５１と内凸条部５２との間には隙間αが形成される。
【００２０】
これにより、通気部８は、収容凹部４から水平方向に伸びる第１の通気路８１と、第１の通気路８１の終端から上下方向に伸びる第２の通気路８２と、第２の通気路８２の終端から水平方向に伸びて鉛直溝９に繋がる第３の通気路８３と、を有することになる。第２の通気路８２の上下方向における長さは、側面２１から第３の通気路８３を見たときに、第３の通気路８３を通して第１の通気路８１が見えないような長さに調節されている。このように、第１の通気路８１と第３の通気路８３が第２の通気路８２により隔てられているので、仮に、卵用包装容器１を用いて卵を輸送している際に第３の通気路８３に雨水や汚水が入ったとしても、そのような水は、第２の通気路８２により遮られて収容凹部４まで到達し難い。そのため、卵が濡れたり汚染したりするのを抑制することができる。
【００２１】
図５（ａ）（ｂ）に示すように、下側トレイ２の鉛直溝９と上側トレイ３の鉛直溝９は、共に鉛直面Ｐを基準として対称に設けられているので、下側トレイ２と上側トレイ３とを互いに係合させたときに直線状に繋がる。
【００２２】
また、図６に示すように、一の卵用包装容器１ａの上面に他の卵用包装容器１ｂの下面が重なるようにして複数の卵用包装容器１を積み重ねたタワー１０としたとき、卵用包装容器１ａの上側トレイ３に設けた位置ずれ防止部６（不図示）と卵用包装容器１ｂの下側トレイ２に設けた位置ずれ防止部６（不図示）とが、互いに嵌合する。これにより、卵用包装容器１ａ、１ｂの位置ずれが防止され、卵用包装容器１ａ、１ｂの鉛直溝９が直線状に繋がった状態が維持される。そして、このようなタワー１０を複数用意して、各タワー１０の側面２１を互いに密接させた状態としたとき、他のタワー１０と密接している側面２１でも鉛直溝９が上下方向で直線状に繋がっているので、上方からの空気（黒矢印で示す）が鉛直溝９を伝って下方の卵用包装容器１まで到達する。
【００２３】
また、このようなタワー１０の配置では、面取り部７２により囲まれた領域Ｒ１が上下方向に生じ、このような領域Ｒ１にも上方から空気（白矢印で示す）が流入する。そして、領域Ｒ１に流入した空気は、下方に進むにつれて面取り部７１により囲まれた領域Ｒ２へと流入し、領域Ｒ２に流入した空気の一部は、鉛直溝９を伝って下方に向かう。これにより、タワー１０間の隙間に効率良く空気が供給される。
【００２４】
上記のように構成された卵用包装容器１によれば、側面２１の上下方向に亘って鉛直溝９が形成され、鉛直溝９は、通気部８を介して卵を収容する収容凹部４に連通している。そのため、複数の卵用包装容器１を各々の側面２１が互いに密着するようにして配置した場合であっても、鉛直溝９を介して密着した側面２１からも卵用包装容器１の内部に十分な空気が供給され、卵の鮮度を高く維持することができる。
【００２５】
また、下側トレイ２と上側トレイ３が互いに同形状であるので、一つの金型で下側トレイ２と上側トレイ３の両方を成型することができ、低コスト化を図ることができる。また、卵用包装容器１により卵を包装する際に、逐一下側トレイ２か上側トレイ３かを確認する作業が不要となるので、包装スピードが上がって操作性が良い。
【００２６】
なお、本考案に係る卵用包装容器は、上記実施形態に限定されず種々の変形が可能である。例えば、下側トレイ及び上側トレイは、必ずしも互いに同形状である必要は無く、互いに異なる形状であってもよい。また、下側トレイの鉛直溝と上側トレイの鉛直溝は、必ずしも直線状に繋がっている必要は無く、不連続であってもよい。
【符号の説明】
【００２７】
１、１ａ、１ｂ  卵用包装容器
２  下側トレイ
３  上側トレイ
４  収容凹部
８  通気部
８１  第１の通気路
８２  第２の通気路
８３  第３の通気路
９  鉛直溝
【図１】
0003228705.tif 000003
【図２】
0003228705.tif 000004
【図３】
0003228705.tif 000005
【図４】
0003228705.tif 000006
【図５】
0003228705.tif 000007
【図６】
0003228705.tif 000008